(57)【特許請求の範囲】
【請求項１】
アップリンクのための送信電力レベルを正確に設定するために、ワイヤレス通信システムにおいて、調整されたパラメータをダウンリンク上でシグナリングするための方法であって、
電力コマンドについての送信電力の規定範囲からオフセット値だけ外にあるユーザ機器のために所望されるターゲット送信電力レベルを判断することと、
前記ターゲット送信電力レベルに最も近い、前記規定範囲内の値において電力コマンドを送信することと、
前記オフセット値に基づいて緩和信号を送信することと、
前記ターゲット送信電力レベルにおいてアップリンク・チャネルを受信することと
を実施するためにコンピュータ読み取り可能な記録媒体上に記憶されたコンピュータ実行可能命令を実行するプロセッサを採用することを備え、
前記ユーザ機器が、前記緩和信号に従って前記電力コマンドからのその送信電力を調整する、方法。
【請求項２】
前記ダウンリンクが共通パイロット・チャネルを備え、前記方法が、
前記規定範囲を下回る前記ターゲット送信電力レベルを判断することと、
ターゲット送信電力レベルに従って一定値を設定することによって、前記オフセット値に基づいて前記緩和信号を送信することと、
実際の経路損失に従ってランダム・アクセス・チャネル・プリアンブルを受信することと、
をさらに備える請求項１に記載の方法。
【請求項３】
ハンドオーバ境界が実際の経路損失に基づくことを保証するために、セル個別オフセットの値を設定することによって、前記オフセット値に基づいて前記緩和信号を送信すること、
をさらに備える請求項２に記載の方法。
【請求項４】
アップリンク干渉を緩和するために、前記アップリンク・チャネルの受信感度を前記規定範囲外にある実際の感度レベルに低下させることと、
前記ユーザ機器に、ランダム・アクセス・チャネル・プリアンブルを実際の感度レベルに対応する送信電力レベルにおいて送信させるために、前記オフセット値に基づいて前記緩和信号を送信することと、
をさらに備える請求項１に記載の方法。
【請求項５】
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）通信規格に従って前記電力コマンド及び前記緩和信号を送信することをさらに備える請求項１に記載の方法。
【請求項６】
前記ユーザ機器を限定加入者システムの一部として認証することをさらに備える請求項１に記載の方法。
【請求項７】
アップリンクのための送信電力レベルを正確に設定するために、調整されたパラメータをダウンリンク上でシグナリングするためのコンピュータ実行可能な命令を記録したコンピュータ読み取り可能な記録媒体であって、前記命令は、
少なくとも一つのコンピュータに、電力コマンドについての送信電力の規定範囲からオフセット値だけ外にあるユーザ機器のために所望されるターゲット送信電力レベルを判断させるためのコードの第１のセットと、
前記少なくとも一つのコンピュータに、前記ターゲット送信電力レベルに最も近い、前記規定範囲内の値において電力コマンドを送信させるためのコードの第２のセットと、
前記少なくとも一つのコンピュータに、前記オフセット値に基づいて緩和信号を送信させるためのコードの第３のセットと、
前記少なくとも一つのコンピュータに、前記ターゲット送信電力レベルにおいてアップリンク・チャネルを受信させるためのコードの第４のセットと、
を備え、
前記ユーザ機器が、前記緩和信号に従って前記電力コマンドからのその送信電力を調整する、コンピュータ読み取り可能な記録媒体。
【請求項８】
アップリンクのための送信電力レベルを正確に設定するために、調整されたパラメータをダウンリンク上でシグナリングするための装置であって、
少なくとも１つのプロセッサと、
前記少なくとも１つのプロセッサによって実行されたとき、
電力コマンドについての送信電力の規定範囲からオフセット値だけ外にあるユーザ機器のために所望されるターゲット送信電力レベルを判断するための手段と、
前記ターゲット送信電力レベルに最も近い、前記規定範囲内の値において電力コマンドを送信するための手段と、
前記オフセット値に基づいて緩和信号を送信するための手段と、
前記ターゲット送信電力レベルにおいてアップリンク・チャネルを受信するための手段と、
を備える構成要素を実装するコンピュータ実行可能命令を記憶する少なくとも１つのコンピュータ読み取り可能な記録媒体と、を備え、
前記ユーザ機器が、前記緩和信号に従って前記電力コマンドからのその送信電力を調整する装置。
【請求項９】
アップリンクのための送信電力レベルを正確に設定するために、調整されたパラメータをダウンリンク上でシグナリングするための装置であって、
電力コマンドについての送信電力の規定範囲からオフセット値だけ外にあるユーザ機器のために所望されるターゲット送信電力レベルを判断するためのコンピューティング・プラットフォームと、
前記ターゲット送信電力レベルに最も近い、前記規定範囲内の値において電力コマンドを送信し、前記オフセット値に基づいて緩和信号を送信するための送信機と、
前記ターゲット送信電力レベルにおいてアップリンク・チャネルを受信するための受信機と、を備え、
前記ユーザ機器が、前記緩和信号に従って前記電力コマンドからのその送信電力を調整する装置。
【請求項１０】
前記ダウンリンクが共通パイロット・チャネルを備え、
前記コンピューティング・プラットフォームがさらに、前記規定範囲を下回る前記ターゲット送信電力レベルを判断するためのものであり、
前記送信機が、さらにターゲット送信電力レベルに従って一定値を設定することによって、前記オフセット値に基づいて前記緩和信号を送信するためのものであり、
前記受信機が、さらに実際の経路損失に従ってランダム・アクセス・チャネル・プリアンブルを受信するためのものである、
請求項９に記載の装置。
【請求項１１】
前記送信機がさらに、ハンドオーバ境界が実際の経路損失に基づくことを保証するために、セル個別オフセットの値を設定することによって、前記オフセット値に基づいて前記緩和信号を送信するためのものである請求項１０に記載の装置。
【請求項１２】
前記コンピューティング・プラットフォームがさらに、アップリンク干渉を緩和するために、前記アップリンク・チャネルの受信感度を前記規定範囲外にある実際の感度レベルに低減させるためのものであり、
前記送信機がさらに、前記ユーザ機器に、ランダム・アクセス・チャネル・プリアンブルを実際の感度レベルに対応する送信電力レベルにおいて送信させるために、前記オフセット値に基づいて前記緩和信号を送信するためのものである請求項９に記載の装置。
【請求項１３】
前記送信機がさらに、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）通信規格に従って前記電力コマンド及び緩和信号を送信するためのものである請求項９に記載の装置。
【請求項１４】
前記コンピューティング・プラットフォームがさらに、前記ユーザ機器を限定加入者システムの一部として認証するためのものである請求項９に記載の装置。
【発明の詳細な説明】
【技術分野】
【０００１】
本開示は、一般に通信に関し、より詳細には、ワイヤレス通信ネットワークにおいてアップリンク送信電力をユーザ機器（ＵＥ）にシグナリングすることに関する。
【０００２】
米国特許法第１１９条に基づく優先権の主張
本特許出願は、本出願の譲受人に譲渡され、参照により本明細書に明確に組み込まれる、２００８年８月１１に出願された「NODE B TRANSMIT POWER ADJUSTMENT」と題する仮出願第６１／０８７，８６１号の優先権を主張する。
【背景技術】
【０００３】
第３世代ワイヤレス・モバイル通信技術において、３ＧＳＭ（登録商標）（Third Generation Global System for Mobile Communications）としても知られるUniversal Mobile Telecommunication System（ＵＭＴＳ）は、ワイヤレス・ネットワーク上での通信のために使用される１つ通信プロトコルである。１つのそのようなタイプのワイヤレス・ネットワークは、ＵＭＴＳワイヤレス・ネットワークを形成するために一般に基地局とコントローラとを含むUMTS Terrestrial Radio Access Network（ＵＴＲＡＮ）である。一般に３Ｇ（第３世代）ネットワークと呼ばれるこのワイヤレス通信ネットワークは、多くのトラフィック・タイプをリアルタイム回線交換トラフィックからインターネット・プロトコル（ＩＰ）ベースのパケット交換トラフィックに搬送することができる。ＵＴＲＡＮは、モバイルフォンまたはワイヤレス通信デバイスなどのユーザ機器（ＵＥ）間の接続、及び他の通信ネットワーク上のデバイスへの接続を可能にする。
【０００４】
基地局は、一般に、ネットワークの周りを自由に移動することができるＵＥと直接通信するために使用される送信機と受信機とを含む。無線ネットワーク・コントローラ（ＲＮＣ）は、ネットワーク上の基地局の動作を制御することによってＵＴＲＡＮ上の通信を支配する。ＲＮＣは、無線リソース管理、一部のモビリティ管理機能を実行し、ユーザデータがモバイル・ユーザ機器（ＭＵＥ）との間で送信される前に暗号化が行われるポイントである。
【０００５】
ＵＴＲＡＮの下では、ＲＮＣは、ネットワーク内で動作しているＵＥを、特定の通信システム・パラメータに従って動作するように構成することができる。（3GPP Technical Specification 25.331参照）。たとえば、開始または再構成中に、ＲＮＣは、ＵＥ中の送信機及び／または受信機を、無線ベアラ・セットアップ・メッセージ中で送信されたパラメータ（たとえば、送信されたデータ・ブロックと受信されたデータ・ブロックとの組合せ、チャネルとサービスとの間のマッピングなど）に従って動作するように構成する無線ベアラ・セットアップ・メッセージを、ＵＥに送信することができる。ＵＥは、ＵＥが起動するとき、またはＵＥがスタンバイ動作モードからアウェイクするときに、新しい無線ベアラ・セットアップ・メッセージを受信することができる。たとえば、ＵＥの送信機及び／または受信機をオン及びオフに切り替え、ＵＥがその送信機及び／または受信機パラメータをリセットしなければならなくすることによって、電力を節約するように、ＵＥを構成することができる。
【０００６】
いくつかのシナリオでは、基地局またはベース・ノードなどのＲＮＣが、仕様のあるリリースにおいてシグナリングできる範囲の外にある送信電力を使用することを望む。仕様の後のリリースはこの範囲を拡張することができるが、その領域中にあるより古いＵＥまたは移動局（ＭＳ）はこれらの新しい領域を理解しない。このシグナリングされた電力は、ＵＥにおいて、主に経路損失推定のために使用される。
【発明の概要】
【０００７】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示するより詳細な説明の導入として、説明する特徴のいくつかの概念を簡略化された形態で提示することである。
【０００８】
一態様では、以下の行為を実装するために、コンピュータ可読記憶媒体に記憶されたコンピュータ実行可能命令を実行するプロセッサを採用することによって、アップリンクのための送信電力レベルを正確に設定するために調整されたパラメータをダウンリンク上でシグナリングするための方法を提供する。電力コマンドの規定範囲からオフセット値だけ外にあるユーザ機器のために所望されるターゲット送信電力レベルを判断する。ターゲット送信電力レベルに最も近い、規定範囲内の値において電力コマンドを送信する。オフセット値に基づいて緩和信号を送信する。ターゲット送信電力レベルにおいてアップリンク・チャネルを受信し、ユーザ機器は、緩和信号に従って電力コマンドからの送信電力を調整する。
【０００９】
別の態様では、アップリンクのための送信電力レベルを正確に設定するために、調整されたパラメータをダウンリンク上でシグナリングするためのコンピュータ・プログラム製品を提供する。少なくとも１つのコンピュータ可読記憶媒体は、少なくとも１つのプロセッサによって実行されたとき、以下の構成要素を実装するコンピュータ実行可能命令を記憶する。コードの第１のセットは、電力コマンドの規定範囲からオフセット値だけ外にあるユーザ機器のために所望されるターゲット送信電力レベルを判断する。コードの第２のセットは、ターゲット送信電力レベルに最も近い、規定範囲内の値において電力コマンドを送信する。コードの第３のセットは、オフセット値に基づいて緩和信号を送信する。コードの第４のセットは、ターゲット送信電力レベルにおいてアップリンク・チャネルを受信し、ユーザ機器は、緩和信号に従って電力コマンドからの送信電力を調整する。
【００１０】
追加の態様では、アップリンクのための送信電力レベルを正確に設定するために、調整されたパラメータをダウンリンク上でシグナリングするための装置を提供する。少なくとも１つのコンピュータ可読記憶媒体は、少なくとも１つのプロセッサによって実行されたとき、以下の構成要素を実装するコンピュータ実行可能命令を記憶する。電力コマンドの規定範囲からオフセット値だけ外にあるユーザ機器のために所望されるターゲット送信電力レベルを判断するための手段を提供する。ターゲット送信電力レベルに最も近い、規定範囲内の値において電力コマンドを送信するための手段を提供する。オフセット値に基づいて緩和信号を送信するための手段を提供する。ターゲット送信電力レベルにおいてアップリンク・チャネルを受信するための手段を提供し、ユーザ機器は、緩和信号に従って電力コマンドからの送信電力を調整する。
【００１１】
別の追加の態様では、アップリンクのための送信電力レベルを正確に設定するために、調整されたパラメータをダウンリンク上でシグナリングするための装置を提供する。コンピューティング・プラットフォームは、電力コマンドの規定範囲からオフセット値だけ外にあるユーザ機器のために所望されるターゲット送信電力レベルを判断する。送信機は、ターゲット送信電力レベルに最も近い、規定範囲内の値において電力コマンドを送信し、オフセット値に基づいて緩和信号を送信する。受信機は、ターゲット送信電力レベルにおいてアップリンク・チャネルを受信し、ユーザ機器は、緩和信号に従って電力コマンドからの送信電力を調整する。
【００１２】
さらなる態様では、方法が、以下の行為を実施するために、コンピュータ可読記憶媒体に記憶されたコンピュータ実行可能命令を実行するプロセッサを採用する。有効範囲外の共通パイロット・チャネル電力を生じる実際の送信電力を判断する。共通パイロット・チャネル電力の値をダウンリンク上で最低有効値において送信する。実際の送信電力に従って一定値を送信する。共通パイロット・チャネル電力の値と一定値とに基づく実際の経路損失に従って、ユーザ機器からランダム・アクセス・チャネル・プリアンブルを受信する。
【００１３】
さらなる一態様では、コンピュータ・プログラム製品が、少なくとも１つのプロセッサによって実行されたとき、以下の構成要素を実装するコンピュータ実行可能命令を記憶する少なくとも１つのコンピュータ可読記憶媒体を備える。コードの第１のセットは、有効範囲外の共通パイロット・チャネル電力を生じる実際の送信電力を判断する。コードの第２のセットは、共通パイロット・チャネル電力の値をダウンリンク上で最低有効値において送信する。コードの第３のセットは、実際の送信電力に従って一定値を送信する。コードの第４のセットは、共通パイロット・チャネル電力の値と一定値とに基づく実際の経路損失に従って、ユーザ機器からランダム・アクセス・チャネル・プリアンブルを受信する。
【００１４】
さらに別の態様では、装置が、少なくとも１つのプロセッサによって実行されたとき、以下の構成要素を実装するコンピュータ実行可能命令を記憶するための少なくとも１つのコンピュータ可読記憶媒体を備える。有効範囲外の共通パイロット・チャネル電力を生じる実際の送信電力を判断するための手段を提供する。共通パイロット・チャネル電力の値をダウンリンク上で最低有効値において送信するための手段を提供する。実際の送信電力に従って一定値を送信するための手段を提供する。共通パイロット・チャネル電力の値と一定値とに基づく実際の経路損失に従って、ユーザ機器からランダム・アクセス・チャネル・プリアンブルを受信するための手段を提供する。
【００１５】
さらに追加の態様では、装置が、有効範囲外の共通パイロット・チャネル電力を生じる実際の送信電力を判断するためのコンピューティング・プラットフォームを備える。送信機は、共通パイロット・チャネル電力の値をダウンリンク上で最低有効値において送信し、実際の送信電力に従って一定値を送信する。受信機は、共通パイロット・チャネル電力の値と一定値とに基づく実際の経路損失に従って、ユーザ機器からランダム・アクセス・チャネル・プリアンブルを受信する。
【００１６】
さらに別の追加の態様では、方法が、以下の行為を実施するために、コンピュータ可読記憶媒体に記憶されたコンピュータ実行可能命令を実行するプロセッサを採用する。アップリンク受信を実際の感度に低減することによって、干渉を緩和する。ユーザ機器に、ランダム・アクセス・チャネル・プリアンブルを実際の感度に対応する値において送信させるために、パラメータを調整する。調整されたパラメータをユーザ機器に送信する。ランダム・アクセス・チャネル・プリアンブルを受信する。
【００１７】
またさらなる態様では、コンピュータ・プログラム製品が、少なくとも１つのプロセッサによって実行されたとき、以下の構成要素を実装するコンピュータ実行可能命令を記憶するための少なくとも１つのコンピュータ可読記憶媒体を備える。コードの第１のセットは、アップリンク受信を実際の感度に低減することによって、干渉を緩和する。コードの第２のセットは、ユーザ機器に、ランダム・アクセス・チャネル・プリアンブルを実際の感度に対応する値において送信させるために、パラメータを調整する。コードの第３のセットは、調整されたパラメータをユーザ機器に送信する。コードの第４のセットは、ランダム・アクセス・チャネル・プリアンブルを受信する。
【００１８】
別のさらなる態様では、装置が、少なくとも１つのプロセッサによって実行されたとき、以下の構成要素を実装するコンピュータ実行可能命令を記憶する少なくとも１つのコンピュータ可読記憶媒体を備える。アップリンク受信を実際の感度に低減することによって、干渉を緩和するための手段を提供する。ユーザ機器に、ランダム・アクセス・チャネル・プリアンブルを実際の感度に対応する値において送信させるために、パラメータを調整するための手段を提供する。調整されたパラメータをユーザ機器に送信するための手段を提供する。ランダム・アクセス・チャネル・プリアンブルを受信するための手段を提供する。
【００１９】
追加のさらなる態様では、装置が、アップリンク受信を実際の感度に低減することによって、干渉を緩和するため、及びユーザ機器に、ランダム・アクセス・チャネル・プリアンブルを実際の感度に対応する値において送信させるために、パラメータを調整するためのコンピューティング・プラットフォームを備える。送信機は、調整されたパラメータをユーザ機器に送信する。受信機は、ランダム・アクセス・チャネル・プリアンブルを受信する。
【００２０】
上記及び関連する目的を達成するために、１つまたは複数の態様は、以下で十分に説明し、特に特許請求の範囲で指摘する特徴を備える。以下の説明及び添付の図面は、いくつかの例示的な態様を詳細に記載し、本態様の原理が使用できる様々な方法のほんのいくつかを示すものである。他の利点及び新規の特徴は、以下の詳細な説明を図面とともに検討すれば明らかになり、開示する態様は、すべてのそのような態様及びそれらの均等物を含むものとする。
【００２１】
本開示の特徴、性質、及び利点は、全体を通じて同様の参照符号が同様のものを指す図面とともに、以下に記載する詳細な説明を読めばより明らかになろう。
【図面の簡単な説明】
【００２２】
【図１】範囲外送信電力コマンドを、ホーム・ユーザ機器（ＨＵＥ）がアップリンク上で使用するために、ホーム・ベース・ノード（ＨＮＢ）がダウンリンク上でシグナリングすることができる異種通信ネットワークのブロック図。
【図２】規定された有効範囲外の送信電力をシグナリングするための方法または動作のシーケンスの流れ図。
【図３】マクロ・セル、フェムト・セル及びピコ・セルを備えるワイヤレス通信システムの図。
【図４】１つまたは複数のフェムト・ノードがネットワーク環境内に展開された通信システムの図。
【図５】いくつかのトラッキング・エリア、ルーティング・エリアまたはロケーション・エリアが画定されたカバレージマップの図。
【図６】多元接続ワイヤレス通信システムの図。
【図７】密集都市モデルにおける団地の図。
【図８】密集都市モデルについての、複数のモバイル・ユーザ機器（ＭＵＥ）から最も近いホーム・ベース・ノード（ＨＮＢ）までの経路損失（ＰＬ）の分布のグラフィカルプロット。
【図９】ＨＵＥがＨＮＢにキャンプしたかモバイルベース・ノード（ＭＮＢ）にキャンプしたか、またはＨＵＥが別のキャリアに移動したかどうかを判断するための空きセル再選択プロシージャのための方法または動作のシーケンスを示す図。
【図１０】ＨＮＢ送信電力較正のための方法または動作のシーケンスを示す図。
【図１１】最小電力Ｐｍｉｎ＝０ｄＢｍ及び最大電力Ｐｍａｘ＝２０ｄＢｍである、密集都市シナリオのためのホーム・ベース・ノード（ＨＮＢ）送信電力累積密度関数（ＣＤＦ）のグラフィカルプロット。
【図１２】Ｐｍｉｎ＝−１０ｄＢｍ及びＰｍａｘ＝２０ｄＢｍである、密集都市シナリオのための送信電力ＣＤＦのグラフィカルプロット。
【図１３】規定範囲外の送信電力をシグナリングするための電気構成要素の論理グルーピングのブロック図。
【図１４】規定範囲外の送信電力をシグナリングするための手段を有する装置のブロック図。
【発明を実施するための形態】
【００２３】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施できることは明白であろう。他の例では、これらの態様の説明を円滑にするために、よく知られている構造及びデバイスをブロック図の形態で示す。
【００２４】
図１では、異種通信システム１００において、ホーム・ベース・ノード（ＨＮＢ）として示される小型ベース・ノード（たとえば、ＨＮＢ、フェムト・セル、限定加入セルなど）１０２は、ホーム・ユーザ機器（ＨＵＥ）として示されるユーザ機器（ＵＥ）１０４にサービスする。たとえば、複数のマクロ・ベース・ノード（ＭＮＢ）１０８ａ、１０８ｂのうちの１つのカバレージ・エリアを拡大するため、またはそれらのＭＮＢよりも有利な請求代替案を提供するために、ＨＮＢ１０２を建築物１０６内に配置することができる。
【００２５】
有利には、ＨＮＢ１０２は、モバイル・ユーザ機器ＭＵＥ１１２ａに十分なサービスを提供しながら、他のノードまたは端末への干渉を回避するために十分な送信（Ｔｘ）電力を判断しようとする低減送信（Ｔｘ）電力構成要素１１０を有する。たとえば、ＭＮＢ１０８ａは、ＨＮＢ１０２と同一チャネルであるＭＵＥ１１２ａにサービスしていることがある。ＨＮＢ１０２は、有利には、１１４において示される第１の制約として、ＨＮＢ１０２からＸ１ｄＢ離れて位置するＭＵＥ１１２ａのための−１８ｄＢの共通パイロット・チャネル（ＣＰＩＣＨ）Ｅｃ／Ｎｏ（チップ当たりのエネルギー対干渉電力密度）を維持するために、ＨＮＢ１０２のＴｘ電力を低減することができる。
【００２６】
代替的にまたは追加として、ＭＮＢ１０８ｂは、ＨＮＢ１０２を用いて隣接チャネル上でサービスされるＭＵＥ１１２ｂにサービスしていることがある。ＨＮＢ１０２は、１１６に示すように、隣接する同一チャネル干渉を防ぐためにＨＮＢ１０２からＸ２離れて位置するＭＵＥ１１２ｂに対する隣接チャネル干渉を回避するために、ＨＮＢ１０２のＣＰＩＣＨ  Ｔｘ電力を低減することができる。
【００２７】
代替的にまたは追加として、ＨＮＢ１０２が他のもの（たとえば、ノードまたはユーザ機器（ＵＥ））１１８への不要な干渉を生じていないことを確認するために、ＨＮＢ１０２は、１２０に示すように、ＨＮＢ１０２からＸ３ｄＢ離れて位置するＨＵＥ１０４によって報告されるＣＰＩＣＨ  Ｅｃ／Ｎｏに対して−１５ｄＢの上限をエンフォースすることができる。
【００２８】
特に、ＨＮＢ１０２は、ＣＰＩＣＨ送信（Ｔｘ）電力を無線リソース制御（ＲＲＣ）によってＨＵＥ１０４にシグナリングし、ＨＵＥ１０４によってＨＮＢ１０２までの経路損失を推定するために使用される。推定経路損失は、ランダム・アクセス・チャネル（ＲＡＣＨ）のためのＨＵＥ１０４の初期Ｔｘ電力を判断するためにＨＵＥ１０４によって使用される。
【数１】
0005562957.tif 000002
【００２９】
現在、ＵＥにシグナリングできる最低ＣＰＩＣＨ電力レベルは、３ＧＰＰ  ＴＳ  ２５．３３１  ｖ８．３．０、「Radio Resource Control (RRC); Protocol Specification」で指定された−１０ｄＢｍである。ノードＢ／ＨＮＢ  ＣＰＩＣＨ  Ｔｘ電力が−１０ｄＢｍを下回るとき、ＵＥが推定する経路損失（すなわち、プライマリＣＰＩＣＨＴｘ電力−ＣＰＩＣＨ＿ＲＳＣＰ）は実際の経路損失よりも高い。これにより、ＵＥによるＴｘ電力は必要以上に高くなる。ＵＥ  Ｔｘ電力の増加は、アクセスを促進するが、同時にマクロアップリンクに対して不要な干渉を生じる。
【００３０】
例示的な態様では、現在、第３世代（３Ｇ）ホーム・ベース・ノード（ＨＮＢ）のための新しい基地局クラスが定義されている。目的の１つは、ＨＮＢのためのＴＳ２５．１０４における無線要件を更新することである。最小ＨＮＢ送信電力は仕様の一部ではないが、マクロ・セル・ダウンリンクに対して生じるカバレージホールを制限するために、適宜に下限を設定する必要がある。開示するイノベーションでは、総ＨＮＢ送信（Ｔｘ）電力は、ＣＰＩＣＨ  Ｅｃ／Ｉｏｒ＝−１０ｄＢと仮定すると、現在ＵＥにシグナリングできる最小レベルである−１０ｄＢｍを下回る共通パイロット・チャネル（ＣＰＩＣＨ）電力レベルを生じる０ｄＢｍよりも低くなる必要があることがある。これにより、潜在的に、信号ＣＰＩＣＨ  Ｔｘ電力と実際の電力レベルとの間の不一致が生じることがあり、それにより、ランダム・アクセス・チャネル（ＲＡＣＨ）のためのホーム・ユーザ機器（ＨＵＥ）開ループＴｘ電力レベルが増加することになる。しかしながら、有利には、ＲＡＣＨのための一定値パラメータを調整することによって、その不一致を補償することができる。
【００３１】
したがって、マクロ・ベース・ノード（ＭＮＢ）／ＨＮＢは、実際のＣＰＩＣＨ  Ｔｘ電力レベルとＵＥにシグナリングされた電力レベルとの間の不一致を補償するために、一定値パラメータまたはアップリンク（ＵＬ）干渉パラメータを使用することができる。ＭＮＢ／ＨＮＢは、この場合、最低可能値を広告する。一定値パラメータに可能な範囲は、［−３５ｄＢ．．．−１０ｄＢ］と指定されている。ＣＰＩＣＨ  Ｔｘ電力の不一致から生じる推定経路損失（ＰＬ）の増加をオフセットするために、ＵＥにシグナリングされた一定値を所望のターゲットよりも低くすることができる。アップリンク（ＵＬ）干渉パラメータを使用して、同じ機構を上限に適用することができる。
【００３２】
別の態様では、経路損失が選択された報告量である場合、経路損失の規定範囲が実効値を搬送するのに不十分であるときに調整を行うことができる。この例では、セル個別オフセット（ＣＩＯ）を使用することによって緩和を達成することができる。
【００３３】
追加の態様では、ＵＥの所望のアップリンク送信電力レベルが、直接指令できる範囲の外にあるように、ＨＮＢがその受信感度を調整することができる。たとえば、干渉の緩和などのために、ＨＮＢがその感度を低下させる場合、ＵＥは、ＨＮＢに達するには低すぎる電力レベルにおいて送信することがある。したがって、ＨＮＢは緩和信号を用いて間接的に指令する。特に、ＨＵＥがＨＮＢに達するには低すぎる電力において送信することを防ぐために、ＨＮＢは、一定値またはアップリンク干渉値のいずれかを使用して、ＨＮＢの感度を間接的にシグナリングする必要がある。
【００３４】
別の態様では、経路損失が、選択された報告量であるとき、また調整を考慮する必要がある。この例では、セル個別オフセット（ＣＩＯ）を使用することによって調整を行うことができる。
【００３５】
さらなる態様では、ＨＮＢは、サービスされるＨＵＥに設定を搬送する際に同様の問題を生じることがある、アップリンクのためのＨＮＢの受信感度を調整する。感度を低減すると、ＨＵＥは、ＨＮＢに達するには低すぎる送信電力において送信することがある。したがって、ＨＮＢは、一定値またはＵＬ干渉値を使用して、ＨＮＢの感度を間接的にシグナリングする必要がある。
【００３６】
ＨＮＢ１０２は、上記の計算ステップ及び制御ステップを実行するための少なくとも１つのプロセッサによって、コンピュータ可読記憶媒体に記憶された命令をローカルでまたはリモートで実行するコンピューティング・プラットフォーム１４０を含むことができる。ＨＮＢ１０２は、ＨＵＥ１０４からアップリンクを受信するための少なくとも１つの受信機（ＲＸ）１４２をさらに含んでいるかまたは受信機（ＲＸ）１４２にアクセスすることができる。ＨＮＢ１０２は、ダウンリンクをＨＵＥ１０４に送信するための少なくとも１つの送信機（Ｔｘ）１４４をさらに含んでいるかまたは送信機（Ｔｘ）１４４にアクセスすることができる。
【００３７】
図２に、規定有効範囲を下回る送信電力をシグナリングするための方法または動作のシーケンス２００、特に限定加入者システムにおいてＨＮＢがアップリンクのための送信電力レベルをダウンリンク上でＨＵＥにシグナリングするための方法または動作のシーケンス２００を与える。ＨＮＢは、電力コマンドの規定範囲からオフセット値だけ外にあるＨＵＥのために所望されるターゲット送信電力レベルを判断する（ブロック２０４）。ＨＮＢは、ターゲット送信電力レベルに最も近い、規定範囲内の値において電力コマンドをＨＵＥに送信する（ブロック２０６）。ＨＮＢは、オフセット値に基づいてＨＵＥに緩和信号を送信する（ブロック２０８）。受信機は、ターゲット送信電力レベルにおいてアップリンク・チャネルを受信し（ブロック２１０）、ＨＵＥは、緩和信号に従って電力コマンドからの送信電力を調整する。
【００３８】
一態様では、ＨＮＢは、有効範囲外の共通パイロット・チャネル電力（ＣＰＩＣＨ）を生じる実際の送信電力を判断する（ブロック２１２）。ＨＮＢは、ＣＰＩＣＨ電力の値をダウンリンク上で最低有効値において送信する（ブロック２１４）。ＨＮＢは、実際の送信電力に従って一定値を送信する（ブロック２１６）。ＨＮＢは、ＣＰＩＣＨ電力の値と一定値とに基づく実際の経路損失に従って、ＨＵＥからランダム・アクセス・チャネル（ＲＡＣＨ）プリアンブルを受信する（ブロック２１８）。ＨＮＢは、実際の経路損失に基づいてハンドオーバ境界を設定するために、セル個別オフセット（ＣＩＯ）の値をさらに送信する（ブロック２２０）。
【００３９】
ＨＮＢは、アップリンク受信を実際の感度に低減することによって干渉を緩和する（ブロック２２２）。ＨＮＢは、ＨＵＥに、ＲＡＣＨプリアンブルを実際の感度に対応する値において送信させるために、パラメータ（たとえば、アップリンク干渉、一定値など）を調整する（ブロック２２４）。ＨＮＢは、調整されたパラメータをＨＵＥに送信する（ブロック２２６）。ＨＮＢはランダム・アクセス・チャネル・プリアンブルを受信する（ブロック２２８）。
【００４０】
本開示全体にわたって、明快のために、ＨＵＥ及びＭＵＥが同じキャリアを共有する同一チャネル展開のための仮定を行う。全体を通して、限定加入者グループを仮定する。ただし、本イノベーションに一致する態様は、これらの仮定及び以下の仮定に対する例外を含むことができることを、本開示の利益とともに諒解されたい。一態様では、共通パイロット・チャネル（ＣＰＩＣＨ）Ｅｃ／Ｎｏ（チップ当たりのエネルギー対干渉電力密度）が収集時間値（Ｔａｃｑ）を下回る場合、ＵＥはパイロットを収集することができないと見なされる。この分析では、Ｔａｃｑ＝−２０ｄＢを使用する。さらに、マクロ・ベース・ノード（ＭＮＢ）は、全電力の５０％（すなわち、４０ｄＢｍ）において送信すると仮定する。ＭＮＢ及びＨＮＢのためのＣＰＩＣＨ  Ｅｃ／Ｉｏｒは、−１０ｄＢ（すなわち、３３ｄＢｍ）に設定する。
【００４１】
いくつかの態様では、マクロスケールのカバレージ（たとえば、一般にマクロ・セルネットワークと呼ばれる、３Ｇネットワークなどの広域セルラー・ネットワーク）、及びより小さいスケールのカバレージ（たとえば、住居ベースまたは建築物ベースのネットワーク環境）を含むネットワーク中で、本明細書の教示を採用することができる。ＵＥがそのようなネットワーク中を移動するとき、ＵＥは、あるロケーションでは、マクロ・カバレージを与えるノードＢによってサービスされ、他のロケーションでは、より小さいスケールのカバレージを与えるノードＢによってサービスされることがある。いくつかの態様では、より小さいカバレージノードを使用して、（たとえば、よりロバストなユーザ経験のために）増分キャパシティの増大と、屋内カバレージと、様々なサービスとを与えることができる。本明細書での説明では、比較的大きいエリアにわたるカバレージを与えるノードを、マクロ・ノードと呼ぶ。比較的小さいエリア（たとえば、住居）にわたるカバレージを与えるノードを、フェムト・ノードと呼ぶ。マクロ・エリアよりも小さく、フェムト・エリアよりも大きいエリアにわたるカバレージを与える（たとえば、商業建築物内のカバレージを与える）ノードを、ピコ・ノードと呼ぶ。
【００４２】
マクロ・ノード、フェムト・ノード、またはピコ・ノードに関連付けられたセルを、それぞれ、マクロ・セル、フェムト・セル、またはピコ・セルと呼ぶ。いくつかの実装形態では、各セルをさらに１つまたは複数のセクタに関連付ける（たとえば、分割する）ことができる。
【００４３】
様々な適用例では、マクロ・ノード、フェムト・ノード、またはピコ・ノードを指すために他の用語を使用することがある。たとえば、マクロ・ノードを、ノードＢ、基地局、アクセスポイント、ｅノードＢ、マクロ・セルなどとして構成する、または呼ぶことがある。また、フェムト・ノードを、ホーム・ノードＢ、ホームｅノードＢ、アクセスポイント基地局、フェムト・セルなどとして構成する、または呼ぶことがある。
【００４４】
図３に、本明細書の教示を実装することができる、いくつかのユーザをサポートするように構成されたワイヤレス通信システム３００を示す。システム３００は、たとえば、マクロ・セル３０２ａ〜３０２ｇなど、複数のセル３０２の通信を可能にし、各セルは、対応するベース・ノード３０４（たとえば、ベース・ノード３０４ａ〜３０４ｇ）によってサービスされる。図３に示すように、ＵＥ３０６（たとえば、ＵＥ３０６ａ〜３０６ｌ）は、時間とともにシステム全体にわたって様々なロケーションに分散できる。各ＵＥ３０６は、たとえば、ＵＥ３０６がアクティブであるかどうか、及びＵＥ３０６がソフト・ハンドオフ中であるかどうかに応じて、所与の時点において順方向リンク（「ＦＬ」）及び／または逆方向リンク（「ＲＬ」）上の１つまたは複数のベース・ノード３０４と通信することができる。ワイヤレス通信システム３００は広い地理的領域にわたってサービスを提供する。たとえば、マクロ・セル３０２ａ〜３０２ｇは、近隣内の数ブロックをカバーすることができる。
【００４５】
図４に、１つまたは複数のフェムト・ノードがネットワーク環境内に展開された例示的な通信システム４００を示す。特に、システム４００は、ホーム・ベース・ノード（ＨＮＢ）４０２ａ及び４０２ｂとして示される、比較的小規模のネットワーク環境中に（たとえば、１つまたは複数のユーザ住居４０４中に）設置された複数のフェムト・ノードを含む。各フェムト・ノード４０２ａ〜４０２ｂは、ＤＳＬルータ、ケーブルモデム、ワイヤレスリンク、または他の接続手段（図示せず）を介して、ワイドエリア・ネットワーク４０６（たとえば、インターネット）及びモバイル・オペレータ・コア・ネットワーク４０８に結合できる。以下で論じるように、各フェムト・ノード４０２ａ〜４０２ｂは、関連するアクセス端末またはユーザ機器（ＵＥ）４１０ａ、及び、随意に、（たとえば、限定加入者グループの加入者でない）外来アクセスＵＥ４１０ｂにサービスするように構成できる。言い換えれば、フェムト・ノード４０２ａ〜４０２ｂへのアクセスを制限することができ、それによって、所与のＵＥ４１０ａ〜４１０ｂを、指定された（たとえば、（１つまたは複数の）ホーム）フェムト・ノード４０２ａ〜４０２ｂのセットがサービスすることはできるが、指定されていないフェムト・ノード４０２ａ〜４０２ｂ（たとえば、近隣のフェムト・ノード４０２ａ〜４０２ｂ）がサービスすることはできない。
【００４６】
フェムト・ノード４１０の所有者は、たとえば、３Ｇモバイル・サービスなど、モバイル・オペレータ・コア・ネットワーク４０８を介して提供されるモバイル・サービスに加入することができる。さらに、アクセス端末またはＵＥ４１０ａ〜４１０ｂは、マクロ環境と、より小規模（たとえば、住居）のネットワーク環境の両方で動作することが可能である。言い換えれば、ＵＥ４１０ａ〜４１０ｂの現在位置に応じて、アクセス端末４１０ａ〜４１０ｂは、マクロ・セル・モバイル・ネットワーク４０８のアクセス・ノードまたはマクロ・ベース・ノード４１２によって、または、フェムト・ノード４１０のセットのうちのいずれか１つ（たとえば、対応するユーザ住居４０４内に常駐するフェムト・ノード４０２ａ〜４０２ｂ）によってサービスされることがある。たとえば、加入者が自宅の外にいるとき、標準のマクロ・アクセス・ノード（たとえば、ノード４１２）によってサービスされ、自宅の中にいるとき、フェムト・ノード（たとえば、ノード４０２ａ〜４０２ｂ）によってサービスされる。ここで、フェムト・ノード４０２ａ〜４０２ｂは既存のアクセス端末またはＵＥ４１０ａ〜４１０ｂと後方互換性があることを諒解されたい。
【００４７】
フェムト・ノード４０２ａ〜４０２ｂは、単一の周波数上に展開でき、または代替として、複数の周波数上に展開できる。特定の構成に応じて、単一の周波数、あるいは複数の周波数のうちの１つまたは複数は、マクロ・ノード（たとえば、ノード４１２）によって使用される１つまたは複数の周波数と重複することがある。
【００４８】
いくつかの態様では、アクセス端末またはＵＥ４１０ａ〜４１０ｂは、そのような接続性が可能であるときはいつでも、好ましいフェムト・ノード（たとえば、アクセス端末またはＵＥ４１０ａ〜４１０ｂのホーム・フェムト・ノード）に接続するように構成できる。たとえば、アクセス端末またはＵＥ４１０ａ〜４１０ｂがユーザの住居４０４内にあるときはいつでも、アクセス端末またはＵＥ４１０ａ〜４１０ｂがホーム・フェムト・ノード４０２ａ〜４０２ｂのみと通信することが望ましい。
【００４９】
いくつかの態様では、アクセス端末またはＵＥ４１０ａ〜４１０ｂがマクロ・セルラー・ネットワーク４０８内で動作しているが、（たとえば、好ましいローミング・リスト中に定義された）その最も好ましいネットワーク上に常駐していない場合、アクセス端末またはＵＥ４１０ａ〜４１０ｂは、ベターシステム・リセレクション（「ＢＳＲ」）を使用して、最も好ましいネットワーク（たとえば、好ましいフェムト・ノード４０２ａ〜４０２ｂ）を探索し続けることができ、ベターシステム・リセレクションでは、より良好なシステムが現在利用可能であるかどうかを判断するために利用可能なシステムの周期的なスキャンを行い、以後、そのような好ましいシステムに関連付けるために取り組むことができる。獲得エントリを用いて、アクセス端末またはＵＥ４１０ａ〜４１０ｂは、特定の帯域及びチャネルの探索を制限することができる。たとえば、最も好ましいシステムの探索を周期的に繰り返すことができる。好ましいフェムト・ノード４０２ａ〜４０２ｂが発見されると、アクセス端末またはＵＥ４１０ａ〜４１０ｂは、そのカバレージ・エリア内にキャンプするためにフェムト・ノード４０２ａ〜４０２ｂを選択する。
【００５０】
フェムト・ノードは、いくつかの態様では、制限されることがある。たとえば、所与のフェムト・ノードは、いくつかのサービスをいくつかのアクセス端末のみに提供することができる。いわゆる制限（または限定）関連付けを用いた展開では、所与のアクセス端末は、マクロ・セル・モバイル・ネットワークと、フェムト・ノードの定義されたセット（たとえば、対応するユーザ住居４０４内に常駐するフェムト・ノード４０２ａ〜４０２ｂ）とによってのみサービスされる。いくつかの実装形態では、ノードは、少なくとも１つのノードにシグナリング、データアクセス、登録、ページング、またはサービスのうちの少なくとも１つを与えないように制限される。
【００５１】
いくつかの態様では、（限定加入者グループ・ホーム・ノードＢと呼ばれることもある）制限されたフェムト・ノードは、サービスを、制限された準備されたアクセス端末のセットに提供するノードである。このセットは、必要に応じて、一時的にまたは永続的に拡大できる。いくつかの態様では、限定加入者グループ（「ＣＳＧ」）は、アクセス端末の共通のアクセス制御リストを共有するアクセス・ノード（たとえば、フェムト・ノード）のセットとして定義できる。領域中のすべてのフェムト・ノード（またはすべての制限されたフェムト・ノード）が動作するチャネルをフェムト・チャネルと呼ぶことがある。
【００５２】
したがって、所与のフェムト・ノードと所与のアクセス端末またはユーザ機器との間には様々な関係が存在する。たとえば、アクセス端末の観点から、開いたフェムト・ノードは、制限された関連付けをもたないフェムト・ノードを指す。制限されたフェムト・ノードは、何らかの形で制限された（たとえば、関連付け及び／または登録のために制限された）フェムト・ノードを指す。ホーム・フェムト・ノードは、アクセス端末がアクセスし、その上で動作することを許可されるフェムト・ノードを指す。ゲスト・フェムト・ノードは、アクセス端末がアクセスし、またはその上で動作することを一時的に許可されるフェムト・ノードを指す。外来フェムト・ノードは、おそらく非常事態（たとえば、９１１番）を除いて、アクセス端末がアクセスし、またはその上で動作することを許可されないフェムト・ノードを指す。
【００５３】
制限されたフェムト・ノードの観点から、ホームアクセス端末は、制限されたフェムト・ノードへのアクセスを許可されるアクセス端末を指す。ゲストアクセス端末は、制限されたフェムト・ノードへの一時的アクセスをもつアクセス端末を指す。外来アクセス端末は、たとえば、おそらく９１１番などの非常事態を除いて、制限されたフェムト・ノードにアクセスする許可を有していないアクセス端末（たとえば、制限されたフェムト・ノードに登録する証明書または許可を有していないアクセス端末）を指す。
【００５４】
便宜のために、本明細書の開示では、フェムト・ノードの文脈で様々な機能について説明する。ただし、ピコ・ノードは、より大きいカバレージ・エリアに同じまたは同様の機能を提供することができることを諒解されたい。たとえば、所与のアクセス端末に対して、ピコ・ノードを制限すること、ホームピコ・ノードを定義することなどが可能である。
【００５５】
ワイヤレス多元接続通信システムは、複数のワイヤレスアクセス端末のための通信を同時にサポートすることができる。上述のように、各端末は、順方向リンク及び逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力システム、多入力多出力（「ＭＩＭＯ」）システム、または何らかの他のタイプのシステムを介して確立できる。
【００５６】
図５に、いくつかのトラッキング・エリア５０２（またはルーティング・エリアまたは位置エリア）が画定されたカバレージマップ５００の例を示し、そのエリアの各々はいくつかのマクロ・カバレージ・エリア５０４を含む。ここで、トラッキング・エリア５０２ａ、５０２ｂ、及び５０２ｃに関連付けられたカバレージのエリアは太線によって示され、マクロ・カバレージ・エリア５０４は六角形によって表される。トラッキング・エリア５０２はフェムトカバレージ・エリア５０６をも含む。この例では、フェムトカバレージ・エリア５０６（たとえば、フェムトカバレージ・エリア５０６ｃ）の各々は、マクロ・カバレージ・エリア５０４（たとえば、マクロ・カバレージ・エリア５０４ｂ）内に示される。ただし、フェムトカバレージ・エリア５０６は、完全にマクロ・カバレージ・エリア５０４内にあるわけではないことを諒解されたい。実際問題として、多数のフェムトカバレージ・エリア５０６を所与のトラッキング・エリア５０２またはマクロ・カバレージ・エリア５０４とともに画定することができる。また、１つまたは複数のピコカバレージ・エリア（図示せず）を所与のトラッキング・エリア５０２またはマクロ・カバレージ・エリア５０４内に画定することができる。
【００５７】
特に、ワイヤレス多元接続通信システムは、複数のワイヤレスＵＥのための通信を同時にサポートすることができる。上述のように、各端末は、順方向リンク及び逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力システム、多入力多出力（「ＭＩＭＯ」）システム、または何らかの他のタイプのシステムを介して確立できる。本イノベーションは、例示的な実装形態として本明細書で説明するＭＩＭＯシステムにおける使用に限定されないことを諒解されたい。
【００５８】
ＭＩＭＯシステムは、データ送信用の複数（ＮT）個の送信アンテナ及び複数（ＮR）個の受信アンテナを使用する。ＮT個の送信アンテナとＮR個の受信アンテナとによって形成されるＭＩＭＯチャネルは、空間チャネルと呼ばれることもあるＮS個の独立チャネルに分解でき、ここで、ＮS≦ｍｉｎ｛ＮT，ＮR｝である。ＮS個の独立チャネルの各々は１つの次元に対応する。複数の送信アンテナ及び受信アンテナによって生成された追加の次元数が利用された場合、ＭＩＭＯシステムは改善されたパフォーマンス（たとえば、より高いスループット及び／またはより大きい信頼性）を与えることができる。
【００５９】
ＭＩＭＯシステムは時分割複信（「ＴＤＤ」）及び周波数分割複信（「ＦＤＤ」）をサポートすることができる。ＴＤＤシステムでは、順方向及び逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビーム形成利得を抽出することが可能になる。
【００６０】
本明細書の教示は、少なくとも１つの他のノードと通信するための様々な構成要素を使用するノード（たとえば、デバイス）に組み込むことができる。図６に、ノード間の通信を可能にするために採用できるいくつかの例示的な構成要素を示す。特に、図６に、ＭＩＭＯシステム６００のワイヤレスデバイス６１０（たとえば、アクセスポイント）及びワイヤレスデバイス６５０（たとえば、アクセス端末）を示す。デバイス６１０では、いくつかのデータ・ストリームのトラフィック・データが、データ・ソース６１２から送信（「ＴＸ」）データ・プロセッサ６１４に供給される。
【００６１】
いくつかの態様では、各データ・ストリームは、それぞれの送信アンテナを介して送信される。ＴＸデータ・プロセッサ６１４は、符号化データを供給するために、そのデータ・ストリーム用に選択された特定のコーディング方式に基づいて、データ・ストリームごとにトラフィック・データをフォーマット化し、符号化し、インタリーブする。
【００６２】
各データ・ストリームの符号化データは、ＯＦＤＭ技法を使用してパイロット・データで多重化できる。パイロット・データは、典型的には、知られている方法で処理され、チャネル応答を推定するために受信機システムにおいて使用できることが知られているデータパターンである。次いで、各データ・ストリームの多重化されたパイロット・データ及び符号化データは、変調シンボルを供給するために、そのデータ・ストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データ・ストリームのデータ転送速度、符号化、及び変調は、プロセッサ６３０によって実行される命令によって決定される。データメモリ６３２は、プロセッサ６３０またはデバイス６１０の他の構成要素によって使用されるプログラムコード、データ及び他の情報を記憶する。
【００６３】
次いで、すべてのデータ・ストリームの変調シンボルがＴＸ  ＭＩＭＯプロセッサ６２０に供給され、ＴＸ  ＭＩＭＯプロセッサ６２０はさらに（たとえば、ＯＦＤＭの場合）その変調シンボルを処理する。次いで、ＴＸ  ＭＩＭＯプロセッサ６２０は、各々が、送信機（ＴＭＴＲ）と受信機（ＲＣＶＲ）とを有する、ＮT個の変調シンボル・ストリームをＮT個のトランシーバ（「ＸＣＶＲ」）６２２ａ〜６２２ｔに供給する。いくつかの態様では、ＴＸ  ＭＩＭＯプロセッサ６２０は、データ・ストリームのシンボルと、シンボルが送信されているアンテナとにビーム形成重みを付加する。
【００６４】
各トランシーバ６２２ａ〜６２２ｔは、それぞれのシンボル・ストリームを受信し、処理して、１つまたは複数のアナログ信号を生成し、さらに、それらのアナログ信号を調整（たとえば、増幅、フィルタリング、及びアップコンバート）して、ＭＩＭＯチャネルを介して送信するのに適した変調信号を与える。次いで、トランシーバ６２２ａ〜６２２ｔからのＮT個の変調信号は、それぞれ、ＮT個のアンテナ６２４ａ〜６２４ｔから送信される。
【００６５】
デバイス６５０では、送信された変調信号はＮR個のアンテナ６５２ａ〜６５２ｒによって受信され、各アンテナ６５２ａ〜６５２ｒからの受信信号は、それぞれのトランシーバ（「ＸＣＶＲ」）６５４ａ〜６５４ｒに供給される。各トランシーバ６５４ａ〜６５４ｒは、それぞれの受信信号を調整（たとえば、フィルタリング、増幅、及びダウンコンバート）し、調整された信号をデジタル化して、サンプルを供給し、さらにそれらのサンプルを処理して、対応する「受信」シンボル・ストリームを供給する。
【００６６】
次いで、受信（「ＲＸ」）データ・プロセッサ６６０は、特定の受信機処理技法に基づいてＮR個のトランシーバ６５４ａ〜６５４ｒからＮR個の受信シンボル・ストリームを受信し、処理して、ＮT個の「検出」シンボル・ストリームを供給する。次いで、ＲＸデータ・プロセッサ６６０は、各検出シンボル・ストリームを復調し、デインタリーブし、復号して、データ・ストリームに対するトラフィック・データを回復する。ＲＸデータ・プロセッサ６６０による処理は、デバイス６１０におけるＴＸ  ＭＩＭＯプロセッサ６２０及びＴＸデータ・プロセッサ６１４によって実行される処理を補完するものである。
【００６７】
プロセッサ６７０は、どのプリコーディング行列を使用すべきかを定期的に判断する。プロセッサ６７０は、行列インデックス部とランク値部とを備える逆方向リンクメッセージを作成する。データメモリ６７２は、プロセッサ６７０またはデバイス６５０の他の構成要素によって使用されるプログラムコード、データ及び他の情報を記憶する。
【００６８】
逆方向リンクメッセージは、通信リンク及び／または受信データ・ストリームに関する様々なタイプの情報を備えることができる。次いで、逆方向リンクメッセージは、データ・ソース６３６からいくつかのデータ・ストリームのトラフィック・データをも受信するＴＸデータ・プロセッサ６３８によって処理され、変調器６８０によって変調され、トランシーバ６５４ａ〜６５４ｒによって調整され、デバイス６１０に戻される。
【００６９】
デバイス６１０において、デバイス６５０からの変調信号は、アンテナ６２４ａ〜６２４ｔによって受信され、トランシーバ６２２ａ〜６２２ｔによって調整され、復調器（「ＤＥＭＯＤ」）６４０によって復調され、ＲＸデータ・プロセッサ６４２によって処理されて、デバイス６５０によって送信された逆方向リンクメッセージが抽出される。次いで、プロセッサ６３０は、ビーム形成重みを決定するためにどのプリコーディング行列を使用すべきかを判断し、次いで、抽出されたメッセージを処理する。
【００７０】
図６はまた、通信構成要素が、干渉制御動作を実行する１つまたは複数の構成要素を含むことができることを示す。たとえば、干渉（「ＩＮＴＥＲ」）制御構成要素６９０は、デバイス６１０のプロセッサ６３０及び／または他の構成要素と協働して、別のデバイス（たとえば、デバイス６５０）との間で信号を送信／受信することができる。同様に、干渉制御構成要素６９２は、プロセッサ６７０及び／またはデバイス６５０の他の構成要素と協働して、別のデバイス（たとえば、デバイス６１０）との間で信号を送信／受信することができる。各デバイス６１０及び６５０について、記載の構成要素の２つ以上の機能が単一の構成要素によって提供できることを諒解されたい。たとえば、単一の処理構成要素が干渉制御構成要素６９０及びプロセッサ６３０の機能を提供し、また、単一の処理構成要素が干渉制御構成要素６９２及びプロセッサ６７０の機能を提供することができる。
【００７１】
図７では、開示するイノベーションの態様を示すシミュレーション仮定を用いたシナリオについて考える。本開示では、密集都市モデル７００は、より小さいサイズの住戸７０４をもつ高層団地建築物７０２ａ、７０２ｂがある、人口密度の高いエリアに対応する。密集都市モデルについて以下で説明する。
【００７２】
密集都市モデル７００では、団地のブロックを、サイト間距離（ＩＳＤ）１ｋｍであるマクロ・セルレイアウトの３つの中心セル中にドロップする。各ブロックは、５０ｍ×５０ｍで、図７に示すように、（南及び北の）２つの建築物７０２ａ、７０２ｂと、建築物間の東西の街路７０６とからなる。街路の幅は１０メートルである。各建築物はＫ階建てである。Ｋは、２〜６の間でランダムに選択される。各フロアには、５戸ずつ２列で１０戸の住戸がある。各住戸は、１０ｍ×１０ｍ（すなわち、約１０７６平方フィート）であり、１メートル幅のバルコニーを有する。２つの隣接するブロック間の最小間隔は１０ｍである。ホーム・ユーザ機器（ＨＵＥ）（たとえば、フェムト・セル）がバルコニー中にある確率が１０％であると仮定する。各セル中に２０００戸の住戸をドロップし、これは１平方キロメートル当たり６９２８世帯に対応する。これは密集都市エリアを表す。ワイヤレス普及率（８０％）、事業者普及率（３０％）及びホーム・ベース・ノード（ＨＮＢ）普及率（２０％）などの様々なファクタを考慮に入れて、各セル中の２０００戸のうちの９６戸に同じ事業者のＨＮＢが設置されていることを意味する４．８％のＨＮＢ普及率を仮定する。これらのうち、２４個のＨＮＢが同時にアクティブである（ＨＵＥが接続モードにある）。ＨＮＢがアクティブである場合、ＨＮＢは全電力において送信し、他の場合、ＨＮＢはパイロット・チャネル及びオーバーヘッドチャネルのみを送信する。
【００７３】
また、複数のモバイル・ユーザ機器（ＭＵＥ）を、ＭＵＥの３０％が屋内にあるように、５７セルマクロレイアウトの３つの中心セルにランダムにドロップする。さらに、ＵＥとＨＮＢとの間に３８ｄＢの最小経路損失をエンフォースする（すなわち、１メートル間隔）。密集都市モデルでは、３ＧＰＰマイクロ都市モデルは、ＵＭＴＳ  ３０．０３（すなわち、Universal Mobile Telecommunications System(UMTS),Requirements for the UMTS Terrestrial Radio Access System(UTRA)ETSI Technical Report、UMTS 30.03バージョン3.1.0、1997年11月）の屋外経路損失計算のために使用される。マイクロ都市モデルの自由空間成分は、次式によって与えられる。
【数２】
0005562957.tif 000003
【００７４】
他の伝搬モデル：干渉管理は、ホーム・ノードＢ（ＨＮＢ）展開を可能にするために重要である。同時に、任意の干渉管理研究の結論は、基礎をなす伝搬モデルに大きく依存する。一態様では、ＨＮＢ間干渉シナリオを研究するために有用であるＨＮＢ伝搬モデルについて説明する。別の態様では、ＨＮＢマクロ干渉問題を研究するためのＨＮＢマクロ伝搬モデルについて説明する。
【００７５】
ＨＮＢ団地建築物モデル：ＨＮＢ間干渉シナリオを研究するために、以下の団地モデルを提案する。フロア当たり２５戸の住戸をもつ３階建て建築物について考える。住戸は、１０ｍ×１０ｍであり、フロアごとに５×５格子状に隣り合わせに配置される。フロア間隔は４メートルであると仮定する。さらに、確率ｐで、各住戸にＨＮＢがあると仮定する。この確率はＨＮＢ展開の密度を表す。ＨＮＢを有する住戸では、ＨＮＢ及びＨＵＥを最小間隔１メートルで住戸中にランダム及び一様にドロップする。次いで、以下のようにＫｅｅｎａｎ−Ｍｏｔｌｅｙモデルの変更バージョンを使用して、各ホームＵＥ（ＨＵＥ）からあらゆるＨＮＢまでの伝搬損失を計算する。
【数３】
0005562957.tif 000004
【００７６】
上式で、
ｆはキャリア周波数（Ｈｚ）であり、
ｃは光速（ｍ／ｓ）であり、
ｄは送信機と受信機との間の距離（メートル）であり、
Ｗinは、（たとえば、住戸内の）内壁に対応する隔壁損失（ｄＢ）であり、
ｑinは、送信機と受信機との間の内壁の総数を表すランダム変数であり、
Ｗexは、送信機と受信機との間の内壁の総数を表す隔壁損失であり、
ｑexは、送信機と受信機との間の外壁の総数を表すランダム変数であり、
Ｆはフロア損失（ｄＢ）であり、
ｎは、送信機と受信機とを分離しているフロアの数である。
【００７７】
隔壁損失、Ｗin、Ｗex及びＦは固定であると仮定し、ｑin及びｑexは、住戸レイアウトにおけるばらつきを捕捉するためにランダムであると仮定する。送信機と受信機との間の壁の総数、ｑ＝ｑin＋ｑexは、セット
【数４】
0005562957.tif 000005
【００７８】
から等確率で選択されたランダムな数である。ここで、ｄwは最小壁間隔を表す。２つの隔壁間の平均距離が約２ｄwに等しいことに留意されたい。ｑの値が与えられると、内壁と外壁の数は次のように計算される。送信機と受信機とが同じ住戸中にある場合は、ｑin＝ｑ及びｑex＝０であり、送信機と受信機とが異なる住戸中にある場合は、ｑex＝ｍａｘ（１［ｑ／ｋ］）及びｑin＝ｍａｘ（０，ｑ−ｑex）である。ここで、ｋは外壁当たりの平均内壁数を表す。この団地モデルでは、ｋは１０／ｄwに等しい。上記パラメータのために提案された値を下記の表中に示す。
【表１】
0005562957.tif 000006
【００７９】
ＨＮＢマクロ伝搬モデル：ＨＮＢとマクロＮＢ（ＭＮＢ）との間の対話を研究するために、以下のＨＮＢマクロモデルを提案する。サイズ１２ｍ×１２ｍのＭ個のＨＮＢ家屋（すなわち、ＨＮＢ家屋はＨＮＢがある家屋である）を各マクロ・セル内にドロップする。ＨＮＢを各家屋内にランダム及び一様にドロップする。各ＨＮＢに対応して、確率ｐHUEでＨＵＥが家屋内にあり、確率１−ｐHUEでＨＵＥが屋外の庭にあるように、ＨＵＥをランダムにドロップする。（庭を含む）総宅地サイズは２４ｍ×２４ｍであると仮定する。ＨＮＢ家屋及びＨＵＥをドロップするとき、家屋は重複せず、ＨＵＥは近隣家屋内にない。次いで、Ｎ個のマクロＵＥ（ＭＵＥ）を各マクロ・セル内にドロップする。ＭＵＥは確率ｐMUEでマクロ家屋内にあると仮定し（すなわち、マクロ家屋は、ＨＮＢ／ＨＵＥはないが、ＭＵＥはある家屋である）、その場合、そのＵＥに対してマクロ家屋をドロップする。マクロ家屋は、ＨＮＢ家屋と同じサイズ（すなわち、１２ｍ×１２ｍ）を有する。家屋は重複せず、また、ＨＵＥはマクロ家屋内にない。ただし、ＭＵＥはＨＮＢ家屋内にあることを妨げられない。さらに、ＭＵＥとＨＮＢとの間にＸ  ｄＢの最小経路損失をエンフォースする。言い換えれば、ＭＵＥが経路損失に関してＨＮＢからＸ  ｄＢの範囲内にある場合は、ＭＵＥを再ドロップする。
【００８０】
上記のモデルに基づいて、以下のセクションで説明するように、様々な伝搬損失を計算する。表２に、様々なシナリオの経路損失計算を要約する。
【表２】
0005562957.tif 000007
【００８１】
ＭＵＥからマクロ・ノードＢ（ＭＮＢ）までの伝搬損失：（Ａ）ＭＵＥが屋外にある場合、３ＧＰＰ  ＴＲ  ２５．８９６  ｖ６．０．０の付属書類Ａで説明するマクロ・セル伝搬モデル「Feasibility Study for Enhanced Uplink for UTRA FDD」を使用する。（Ｂ）ＭＵＥが屋内にある場合、３ＧＰＰ  ＴＲ  ２５．９５１  ｖ７．０．０のセクション５．２．１「FDD Base Station (BS) classification」で説明する屋内屋外モデルと同様のモデルを使用することができる。より詳細には、ＭＵＥを、家屋の端に位置する４つの仮想ＵＥに投影する。次いで、経路損失を次のように計算する。
【数５】
0005562957.tif 000008
【００８２】
上式で、ＰＬ(v)macroはＭＮＢから仮想ＵＥまでの経路損失であり、ＲはＭＵＥと仮想ＵＥとの間の距離であり、ｑはＭＵＥと仮想ＵＥとの間の壁の総数であり、Ｗは５ｄＢに設定された隔壁損失であり、ａは０．８ｄＢ／ｍに等しい減衰係数であり、Ｌowは屋外浸透損失である。セクション２．１で説明するＨＮＢモデルと同様に、ｑはセット
【数６】
0005562957.tif 000009
【００８３】
から等確率で選択されたランダムな数であり、ここで、ｄwは同じく２ｍに設定されていると仮定する。さらに、Ｌowが確率０．８で１０ｄＢであり、窓を考慮するために確率０．２で２ｄＢに等しいと仮定する。式（２）に従って４つの仮想ＵＥの各々に対応する経路損失を計算し、最小の１つを選択する。
【００８４】
ＨＵＥからＭＮＢまでの伝搬損失：ＨＵＥからＭＮＢまでの伝搬損失は、直前の説明と同様にして計算することができる。
【００８５】
ＭＵＥからＨＮＢまでの伝搬損失：（Ａ）ＭＵＥがＨＮＢと同じ家屋内にある場合は、式（１）を使用して経路損失を計算する。（Ｂ）ＭＵＥが屋外にある場合は、経路損失を次のように計算する。
【数７】
0005562957.tif 000010
【００８６】
上式で、ＰＬfsは、次式によって与えられる自由空間損失である。
【数８】
0005562957.tif 000011
【００８７】
ただし、ｄはＭＵＥとＨＮＢとの間の距離（メートル）である。ここで、ｑはＭＵＥとＨＮＢとの間の壁の総数であり、Ｗは隔壁損失であり、Ｌowは屋外浸透損失である。この場合、ｑは、セット
【数９】
0005562957.tif 000012
【００８８】
から選択されるランダムな数であり、ここで、
【数１０】
0005562957.tif 000013
【００８９】
は家屋内のｄの一部である。
【００９０】
（Ｃ）ＭＵＥがＨＮＢとは異なる家屋内にある場合は、経路損失を次のように計算する。
【数１１】
0005562957.tif 000014
【００９１】
上式で、ＰＬfsは（４）によって与えられ、
【数１２】
0005562957.tif 000015
【００９２】
及び
【数１３】
0005562957.tif 000016
【００９３】
は２つの家屋のための浸透損失であり、ｑはセット
【数１４】
0005562957.tif 000017
【００９４】
から選択されたランダムな数である。ここで、
【数１５】
0005562957.tif 000018
【００９５】
及び
【数１６】
0005562957.tif 000019
【００９６】
は、２つの家屋内のｄの一部である。
【００９７】
ＨＵＥからＨＮＢまでの伝搬損失：ＨＵＥからＨＮＢまでの伝搬損失は、直前の説明と同様にして計算することができる。
【００９８】
ここまで、ＨＮＢ間干渉及びＨＮＢマクロ干渉の問題を研究するための特定の追加の伝搬モデルについて説明した。
【００９９】
図８に示すプロット８００に、密集都市についての、モバイル・ユーザ機器（ＭＵＥ）から最も近いホーム・ベース・ノード（ＨＮＢ）までの経路損失（ＰＬ）の累積密度関数（ＣＤＦ）８０２を図８に示す。
【０１００】
較正ＨＮＢ送信電力を用いたカバレージ分析：ＨＮＢ送信電力の１つの値は、すべてのシナリオにおいて機能するわけではない。したがって、ＨＮＢ送信電力は、ＨＵＥ及びＭＵＥのための許容できるパフォーマンスを提供するように適合される必要がある。ＨＮＢ  ＤＬ送信電力を選ぶためのガイドラインとして、以下のアルゴリズムを使用することができる。
【０１０１】
図９に、ＨＵＥがＨＮＢにキャンプしたのかＭＮＢにキャンプしたのか、またはＨＵＥが別のキャリアに移動したかどうかを判断するための空きセル再選択プロシージャのための方法または動作のシーケンス９００を示す。ＨＵＥが共有キャリア上でＨＮＢ及びＭＮＢのパイロットを収集することが可能でない場合（ブロック９０４）、ＨＵＥは別のキャリアに移動する（ブロック９０２）。同様に、ＨＵＥが（たとえば、関連付けが制限された）近隣ＨＮＢに対して空きセル再選択を実行しようと試みて失敗した場合（ブロック９０６）、ＨＵＥは別のノードに移動する（ブロック９０４）。同様に、ＭＵＥがマクロパイロットを収集することができない場合、またはＭＵＥがＨＮＢ（図示せず）に対して空きセル再選択を実行しようと試みた（失敗した）場合、ＭＵＥは別のキャリアに移動する。表３に、この分析において使用される代表的な空きセル再選択パラメータを要約する。これらのパラメータは、ＨＵＥが空きセル再選択を実行するとき、ＭＮＢよりもＨＮＢに高い優先順位を与えるように設定されている（ブロック９０８）。ただし、ＨＮＢ信号品質が良好であるときのみＨＮＢへの空きセル再選択が行われるように、ＨＮＢに対して−１９ｄＢの最小ＣＰＩＣＨ  Ｅｃ／Ｎｏをエンフォースする（ブロック９１０）。
【表３】
0005562957.tif 000020
【０１０２】
図１０に、本方法をコンピュータに実行させるために少なくとも１つのプロセッサによって実施され、コンピュータ可読記憶媒体上に記憶されるアルゴリズム、または装置の構成要素とすることができる、ＨＮＢ送信電力較正のための方法または動作のシーケンス１０００を示す。各ＵＥは、上述のような空きセル再選択プロシージャを実行する（ブロック１００２）。ＨＮＢの送信電力を次のように判断する（ブロック１００３）。各ＨＮＢは、他のベース・ノード（ノードＢ（ＭＮＢ及びＨＮＢを含む））のすべてからの総信号強度（すなわち、雑音（Ｎｏ））を測定する（ブロック１００４）。各ＨＮＢはまた、最良のＭＮＢからのパイロット強度（Ｅｃ）を測定する（ブロック１００６）。これらの測定に基づいて、ＨＮＢはその送信電力を判断する（ブロック１００８）。
【０１０３】
制約１：同じチャネル上でＨＮＢからＸ１  ｄＢ離れて位置するＭＵＥに対して−１８ｄＢのＣＰＩＣＨ  Ｅｃ／Ｎｏを維持する（すなわち、同一チャネル・マクロ・ユーザを保護する）（ブロック１０１０）。
【０１０４】
制約２：隣接チャネル上でＨＮＢからＸ２  ｄＢ離れて位置するＭＵＥに対して−１８ｄＢのＣＰＩＣＨ  Ｅｃ／Ｎｏを維持する（すなわち、隣接チャネル・マクロ・ユーザを保護する）（ブロック１０１２）。
【０１０５】
制約３：ＨＮＢからＸ３  ｄＢ離れた位置においてＨＵＥのＣＰＩＣＨ  Ｅｃ／Ｎｏに対して−１５ｄＢの上限をエンフォースすることによって、ＨＮＢが他のものに対して不要な干渉を生じていないことを確認する（ブロック１０１４）。
【０１０６】
ＨＮＢがその送信電力の較正のためにそれ自体の測定を使用する場合、この誤差は、最適値に比較してより低いまたはより高い送信電力値を生じることがある。最悪の場合の誤差を防ぐ実際的な方法として、ＨＮＢ送信電力に対して一定の上限及び下限をエンフォースする（ブロック１０１６）。
【０１０７】
要約すると、ＨＮＢは、制約１、２、及び３から取得される値の最小値を選び、値が許容範囲内（すなわち、ＰｍｉｎとＰｍａｘとの間）にあることを保証する（ブロック１０１８）。
【０１０８】
この部分では、ＵＥのパフォーマンスは、上述の較正ＨＮＢ送信電力アルゴリズムを用いて分析される。アルゴリズムでは、Ｘ１＝Ｘ３＝８０ｄＢに設定する。ここでは単一周波数同一チャネル展開を仮定するので、アルゴリズムにおける第２の制約は適用不可能である。表４及び表５に、較正ＨＮＢ送信電力を用いた密集都市モデルについてのパイロット収集及び機能停止統計を示す。次の２つの場合を比較する。
【数１７】
0005562957.tif 000021
【表４】
0005562957.tif 000022
【表５】
0005562957.tif 000023
【０１０９】
また、ＨＮＢ送信電力ＣＤＦ１１００、１２００を、それぞれ図１１及び図１２に示す。
【０１１０】
密集都市モデルでは、有意な数のＨＮＢが最小−１０ｄＢｍ送信電力にヒットすることがわかる（図１２）。最小ＨＮＢ電力を０ｄＢｍに制限すると、マクロに対して有意なカバレージホールが生じる。表５に示すように、ＭＵＥの２４％は、Ｔｘ電力が−１０ｄＢｍである１４％に比較してＨＮＢ  Ｔｘ電力が０ｄＢｍである別の周波数に切り替わる。これは、マクロ・セル・ダウンリンクに対して生じるカバレージホールを制限するために、総ＨＮＢ  Ｔｘ電力の下限を０ｄＢｍ未満に設定すべきであることを示唆している。当業者には理解されるように、これにより、ＣＰＩＣＨ電力レベルは、ＴＳ  ２５．３３１（すなわち、３ＧＰＰ  ＴＳ  ２５．３３１  ｖ８．３．０、「Radio Resource Control(RRC);Protocol specification」）で指定された、現在ＵＥにシグナリングできるプライマリＣＰＩＣＨ  Ｔｘ電力の最小値−１０ｄＢｍを下回ることになる。
【０１１１】
本開示では、ＨＵＥ及びＭＵＥが同じキャリアを共有する同一チャネル展開における、マクロ・ダウンリンク・パフォーマンスに対して生じるカバレージホールへのＨＮＢ最小総Ｔｘ電力レベルの影響について研究した。ＨＮＢ送信電力は、マクロに対するカバレージホールを制限するために、０ｄＢを下回る必要があることを示した。これにより、ＣＰＩＣＨ  Ｔｘ電力は−１０ｄＢｍを下回ることがある。ＣＰＩＣＨ  Ｔｘ電力は、ＲＲＣによってＵＥにシグナリングされ、ＵＥによってノードＢまでの経路損失を推定するために使用される。推定経路損失は、ＲＡＣＨの初期Ｔｘ電力を判断するためにＵＥによって使用される。
【数１８】
0005562957.tif 000024
【０１１２】
現在、ＵＥにシグナリングできる最低ＣＰＩＣＨ電力レベルは、３ＧＰＰ  ＴＳ  ２５．３３１  ｖ８．３．０、「Radio Resource Control (RRC); Protocol Specification」で指定された−１０ｄＢｍである。ＨＮＢ  ＣＰＩＣＨ  Ｔｘ電力が−１０ｄＢｍを下回るとき、ＨＵＥが推定する経路損失（すなわち、プライマリＣＰＩＣＨＴｘ電力−ＣＰＩＣＨ＿ＲＳＣＰ）は実際の経路損失よりも高い。これにより、ＨＵＥによるＴｘ電力は必要以上に高くなる。ＨＵＥのＴｘ電力の増加は、アクセスを促進するが、同時にマクロアップリンクに対して不要な干渉を生じる。これを回避するために、ＨＮＢは、一定値パラメータを使用して、実際のＣＰＩＣＨ  Ｔｘ電力レベルと、ＨＵＥにシグナリングされたＣＰＩＣＨ  Ｔｘ電力レベルとの間の不一致を補償することができる。ＴＳ  ２５．３３１では、一定値パラメータの可能な範囲は［−３５ｄＢ．．．−１０ｄＢ］と指定されている。ＣＰＩＣＨ  Ｔｘ電力の不一致に起因する推定経路損失の増加をオフセットするために、ＨＵＥにシグナリングされた一定値を所望のターゲットよりも低くすることができる。
【０１１３】
要約すると、マクロ・セル・ダウンリンクに対して生じるカバレージホールを制限するために、ＨＮＢ合計Ｔｘ電力は０ｄＢｍを下回る必要があることがある。これにより、ＵＥに現在シグナリングできる最低レベルである−１０ｄＢｍを下回るＨＮＢ  ＣＰＩＣＨ  Ｔｘ電力が生じ、したがって、ＨＵＥによって推定される経路損失の誤差が生じることがある。しかしながら、ＨＮＢによってＨＵＥにシグナリングされる、ＲＡＣＨの一定値パラメータを調整することによって、その不一致を補償することができる。
【０１１４】
上記により、一態様では、ワイヤレス通信システムにおいて動作可能である装置を提供する。第１の電力レベルにおいて送信されたパイロット・チャネル信号を受信するための手段を提供する。パイロット・チャネル信号が第２の電力レベルにおいて送信されたという指示を受信するための手段を提供し、第１の電力レベルと第２の電力レベルとは異なる。プリアンブル初期電力値を調整する際に使用される一定値を受信するための手段を提供する。一定値、第１の電力レベル、及び第２の電力レベルを使用して、プリアンブル初期電力値を調整するための手段を提供する。
【０１１５】
別の態様では、ワイヤレス通信システムにおいて使用される方法を提供する。第１の電力レベルにおいて送信されたパイロット・チャネル信号を受信する。パイロット・チャネル信号が第２の電力レベルにおいて送信されたという指示を受信し、第１の電力レベルと第２の電力レベルとは異なる。プリアンブル初期電力値を調整する際に使用される一定値を受信する。一定値、第１の電力レベル、及び第２の電力レベルを使用して、プリアンブル初期電力値を調整する。本方法を実行するように電子デバイスを構成することができる。本方法を実行するように構成された電子デバイスを提供することができる。
【０１１６】
追加の態様では、機械可読媒体は、機械によって実行されると、機械に、第１の電力レベルにおいて送信されたパイロット・チャネル信号を受信することと、パイロット・チャネル信号が第２の電力レベルにおいて送信されたという指示を受信することであって、第１の電力レベルと第２の電力レベルとが異なる、受信することと、プリアンブル初期電力値を調整する際に使用される一定値を受信することと、一定値、第１の電力レベル、及び第２の電力レベルを使用してプリアンブル初期電力値を調整することとを含む動作を実行させる命令を備える。
【０１１７】
図１３を参照すると、規定範囲外の送信電力をシグナリングするためのシステム１３００、特に限定加入者システムにおいて、アップリンク送信電力をダウンリンク上でシグナリングするためのシステム１３００が示されている。たとえば、システム１３００は、少なくとも部分的にユーザ機器（ＵＥ）内に常駐することができる。システム１３００は、コンピューティング・プラットフォーム、プロセッサ、ソフトウェア、またはそれらの組合せ（たとえば、ファームウェア）によって実装される機能を表す機能ブロックを含むものとして表されていることを諒解されたい。システム１３００は、連携して動作することができる電気構成要素の論理グルーピング１３０２を含む。たとえば、論理グルーピング１３０２は、電力コマンドの規定範囲からオフセット値だけ外にあるＨＵＥのために所望されるターゲット送信電力レベルを判断するための電気構成要素１３０４を含むことができる。その上、論理グルーピング１３０２は、ターゲット・アップリンク送信電力レベルに最も近い、規定範囲内の値において電力コマンドをＨＵＥに送信するための電気構成要素１３０６を含むことができる。論理グルーピング１３０２は、オフセット値に基づいてＨＵＥに緩和信号を送信するための電気構成要素１３０８を含むことができる。論理グルーピング１３０２は、ターゲット送信電力レベルにおいてアップリンク・チャネルを受信するための電気構成要素１３１０を含むことができ、ＨＵＥは、緩和信号に従って電力コマンドからの送信電力を調整する。論理グルーピング１３０２は、その実際の送信電力が有効な範囲外で共通パイロット・チャネル（ＣＰＩＣＨ）電力を生じると判断するための電気構成要素１３１２を含むことができる。論理グルーピング１３０２は、ＣＰＩＣＨ電力の値をダウンリンク上で最低有効値において送信するための電気構成要素１３１４を含むことができる。論理グルーピング１３０２は、実際の送信電力に従って一定値を送信するための電気構成要素１３１６を含むことができる。論理グルーピング１３０２は、ＣＰＩＣＨ電力の値と一定値とに基づく実際の経路損失に従って、ＨＵＥからランダム・アクセス・チャネル（ＲＡＣＨ）プリアンブルを受信するための電気構成要素１３１８を含むことができる。論理グルーピング１３０２は、実際の経路損失に基づいてハンドオーバ境界を設定するために、セル個別オフセット（ＣＩＯ）の値を送信するための電気構成要素１３２０を含むことができる。論理グルーピング１３０２は、アップリンク受信を実際の感度に低減することによって干渉を緩和するための電気構成要素１３２２を含むことができる。論理グルーピング１３０２は、ＨＵＥに、ＲＡＣＨプリアンブルを実際の感度に対応する値において送信させるために、パラメータ（たとえば、アップリンク干渉、一定値など）を調整するための電気構成要素１３２４を含むことができる。論理グルーピング１３０２は、調整されたパラメータをＨＵＥに送信するための電気構成要素１３２６を含むことができる。論理グルーピング１３０２は、ランダム・アクセス・チャネル・プリアンブルを受信するための電気構成要素１３２８を含むことができる。さらに、システム１３００は、電気構成要素１３０４〜１３２８に関連する機能を実行するための命令を保持するメモリ１３３０を含むことができる。メモリ１３２０の外部にあるものとして示されているが、電気構成要素１３０４〜１３２８の１つまたは複数は、メモリ１３３０の内部に存在することができることを理解されたい。
【０１１８】
図１４に、規定範囲外の送信電力をシグナリングするための装置１４０２、特に限定加入者システムにおいて、アップリンク送信電力をダウンリンク上でシグナリングするための装置１４０２を示す。電力コマンドの規定範囲からオフセット値だけ外にあるＨＵＥのために所望されるターゲット送信電力レベルを判断するための手段１４０４を提供する。ターゲット・アップリンク送信電力レベルに最も近い、規定範囲内の値において電力コマンドをＨＵＥに送信するための手段１４０６を提供する。オフセット値に基づいてＨＵＥに緩和信号を送信するための手段１４０８を提供する。ターゲット送信電力レベルにおいてアップリンク・チャネルを受信するための手段１４１０を提供し、ＨＵＥは、緩和信号に従って電力コマンドからの送信電力を調整する。有効範囲外の共通パイロット・チャネル（ＣＰＩＣＨ）電力を生じる実際の送信電力を判断するための手段１４１２を提供する。ＣＰＩＣＨ電力の値をダウンリンク上で最低有効値において送信するための手段１４１４を提供する。実際の送信電力に従って一定値を送信するための手段１４１６を提供する。ＣＰＩＣＨ電力の値と一定値とに基づく実際の経路損失に従って、ＨＵＥからランダム・アクセス・チャネル（ＲＡＣＨ）プリアンブルを受信するための手段１４１８を提供する。実際の経路損失に基づいてハンドオーバ境界を設定するために、セル個別オフセット（ＣＩＯ）の値を送信するための手段１４２０を提供する。アップリンク受信を実際の感度に低減することによって、干渉を緩和するための手段１４２２を提供する。ＨＵＥに、ＲＡＣＨプリアンブルを実際の感度に対応する値において送信させるために、パラメータ（たとえば、アップリンク干渉、一定値など）を調整するための手段１４２４を提供する。調整されたパラメータをＨＵＥに送信するための手段１４２６を提供する。ランダム・アクセス・チャネル・プリアンブルを受信するための手段１４２８を提供する。
【０１１９】
さらに、本明細書で開示される態様に関して説明した様々な例示的な論理ブロック、モジュール、回路、及びアルゴリズムステップを、電子ハードウェア、コンピュータソフトウェア、またはこの両方の組合せとして実装できることを当業者なら諒解されよう。ハードウェアとソフトウェアのこの互換性を明確に示すために、様々な例示的な構成要素、ブロック、モジュール、回路、及びステップを、上記では概してそれらの機能に関して説明した。そのような機能をハードウェアとして実装するか、ソフトウェアとして実装するかは、特定の適用例及び全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１２０】
本出願で使用する「構成要素」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、及び／またはコンピュータとすることができるが、これらに限定されない。例として、サーバ上で実行されるアプリケーションと、そのサーバの両方を構成要素とすることができる。１つまたは複数の構成要素がプロセス及び／または実行スレッド内に常駐することができ、１つの構成要素を１つのコンピュータ上に配置し、及び／または２つ以上のコンピュータ間に分散することができる。
【０１２１】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。
【０１２２】
様々な態様を、いくつかの構成要素やモジュールなどを含むシステムに関して提示する。様々なシステムは、追加の構成要素やモジュールなどを含んでもよく、及び／または各図に関連して論じる構成要素やモジュールなどのすべてを含まなくてもよいことを理解及び諒解されたい。これらの手法の組合せを使用することもできる。本明細書で開示する様々な態様は、タッチスクリーンディスプレイ技術及び／またはマウス及びキーボードタイプインターフェースを利用するデバイスを含む、電気デバイス上で実行できる。そのようなデバイスの例には、コンピュータ（デスクトップ及びモバイル）、スマートフォン、携帯情報端末（ＰＤＡ）、及びワイヤードとワイヤレスの両方の他の電子デバイスがある。
【０１２３】
さらに、本明細書で開示する態様に関連して説明した様々な例示的な論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１２４】
さらに、標準的なプログラミング及び／またはエンジニアリング技法を使用して、開示する態様を実装するようにコンピュータを制御するためのソフトウェア、ファームウェア、ハードウェア、またはそれらの任意の組合せを生成する方法、装置、または製造品として１つまたは複数のバージョンを実装することができる。本明細書で使用する「製造品」（または代替的に「コンピュータ・プログラム製品」）という用語は、任意のコンピュータ可読デバイス、キャリア、または媒体からアクセス可能なコンピュータ・プログラムを包含するものとする。たとえば、コンピュータ可読媒体は、磁気記憶デバイス（たとえば、ハードディスク、フロッピー（登録商標）ディスク、磁気ストリップ．．．）、光ディスク（たとえば、コンパクトディスク（ＣＤ）、デジタル多目的ディスク（ＤＶＤ）．．．）、スマートカード、及びフラッシュメモリデバイス（たとえば、カード、スティック）を含むことができるが、これらに限定されない。さらに、電子メールを送信及び受信する際またはインターネットもしくはローカルエリア・ネットワーク（ＬＡＮ）などのネットワークにアクセスする際に使用される搬送波など、搬送波を使用して、コンピュータ可読電子データを搬送することができることを諒解されたい。もちろん、開示する態様の範囲から逸脱することなく、この構成に対して多数の改変を行うことができることを当業者ならば認識するであろう。
【０１２５】
本明細書で開示する態様に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化することができる。プロセッサ及び記憶媒体はＡＳＩＣ中に常駐することができる。ＡＳＩＣは、ユーザ端末内に常駐することができる。代替として、プロセッサ及び記憶媒体は、ユーザ端末内に個別構成要素として常駐することもできる。
【０１２６】
開示された態様の前述の説明は、当業者が本開示を実施または使用できるようにするために提供されるものである。これらの態様への様々な修正は当業者には容易に明らかであり、本明細書で定義した一般原理は、本開示の趣旨または範囲から逸脱することなく他の実施形態に適用できる。したがって、本開示は、本明細書で示した実施形態に限定されるものではなく、本明細書で開示した原理及び新規の特徴に一致する最も広い範囲を与られるべきである。
【０１２７】
上記で説明した例示的なシステムに鑑みて、開示した主題に従って実装できる方法について、いくつかの流れ図を参照しながら説明した。説明を簡単にするために、方法を一連のブロックとして図示及び説明したが、いくつかのブロックは本明細書で図示及び説明したブロックとは異なる順序で、及び／または他のブロックと同時に、行うことができるので、主張する主題はブロックの順序によって限定されないことを理解及び諒解されたい。さらに、本明細書に記載の方法を実装するために、図示したすべてのブロックが必要とされるわけではない。さらに、本明細書で開示した方法は、そのような方法をコンピュータに移送及び転送することを可能にするために製造品に記憶することが可能であることをさらに諒解されたい。本明細書で使用する製造品という用語は、任意のコンピュータ可読デバイス、キャリア、または媒体からアクセス可能なコンピュータ・プログラムを包含するものとする。
【０１２８】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることを諒解されたい。したがって、必要な限り、本明細書で明示的に説明した開示は、参照により本明細書に組み込まれる任意の競合する資料に取って代わる。参照により本明細書に組み込まれると言われるが、本明細書で説明した既存の定義、記述、または他の開示資料と競合する、いかなる資料またはその部分も、その組み込まれる資料と既存の開示資料との間に競合が生じない限り、組み込まれる。
以下に、本願出願の当初の特許請求の範囲に記載された発明を付記する。
〔１〕
アップリンクのための送信電力レベルを正確に設定するために、調整されたパラメータをダウンリンク上でシグナリングするための方法であって、
電力コマンドの規定範囲からオフセット値だけ外にあるユーザ機器のために所望されるターゲット送信電力レベルを判断する行為と、
前記ターゲット送信電力レベルに最も近い、前記規定範囲内の値において電力コマンドを送信する行為と、
前記オフセット値に基づいて緩和信号を送信する行為と、
前記ターゲット送信電力レベルにおいてアップリンク・チャネルを受信する行為と
を実施するためにコンピュータ可読記憶媒体上に記憶されたコンピュータ実行可能命令を実行するプロセッサを採用することを備え、
前記ユーザ機器が、前記緩和信号に従って前記電力コマンドからのその送信電力を調整する方法。
〔２〕
前記ダウンリンクチャネルが共通パイロット・チャネルを備え、前記方法が、
前記規定範囲を下回る前記ターゲット送信電力レベルを判断することと、
ターゲット送信電力レベルに従って一定値を設定することによって、前記オフセット値に基づいて前記緩和信号を送信することと、
実際の経路損失に従ってランダム・アクセス・チャネル・プリアンブルを受信することと、
をさらに備える〔１〕に記載の方法。
〔３〕
ハンドオーバ境界が実際の経路損失に基づくことを保証するために、セル個別オフセットの値を設定することによって、前記オフセット値に基づいて前記緩和信号を送信すること、
をさらに備える〔２〕に記載の方法。
〔４〕
アップリンク干渉を緩和するために、前記アップリンク・チャネルの受信感度を前記規定範囲外にある実際の感度レベルに低下させることと、
前記ユーザ機器に、そのランダム・アクセス・チャネル・プリアンブルを実際の感度レベルに対応する送信電力レベルにおいて送信させるために、前記オフセット値に基づいて前記緩和信号を送信することと、
をさらに備える〔１〕に記載の方法。
〔５〕
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）通信規格に従って前記電力コマンド及び前記緩和信号を送信することをさらに備える〔１〕に記載の方法。
〔６〕
前記ユーザ機器を限定加入者システムの一部として認証することをさらに備える〔１〕に記載の方法。
〔７〕
アップリンクのための送信電力レベルを正確に設定するために、調整されたパラメータをダウンリンク上でシグナリングするためのコンピュータ・プログラム製品であって、
少なくとも１つのプロセッサによって実行されたとき、
電力コマンドの規定範囲からオフセット値だけ外にあるユーザ機器のために所望されるターゲット送信電力レベルを判断するためのコードの第１のセットと、
前記ターゲット送信電力レベルに最も近い、前記規定範囲内の値において電力コマンドを送信するためのコードの第２のセットと、
前記オフセット値に基づいて緩和信号を送信するためのコードの第３のセットと、
前記ターゲット送信電力レベルにおいてアップリンク・チャネルを受信するためのコードの第４のセットと、
を備える構成要素を実装するコンピュータ実行可能命令を記憶する少なくとも１つのコンピュータ可読記憶媒体を備え、
前記ユーザ機器が、前記緩和信号に従って前記電力コマンドからのその送信電力を調整するコンピュータ・プログラム製品。
〔８〕
アップリンクのための送信電力レベルを正確に設定するために、調整されたパラメータをダウンリンク上でシグナリングするための装置であって、
少なくとも１つのプロセッサと、
前記少なくとも１つのプロセッサによって実行されたとき、
電力コマンドの規定範囲からオフセット値だけ外にあるユーザ機器のために所望されるターゲット送信電力レベルを判断するための手段と、
前記ターゲット送信電力レベルに最も近い、前記規定範囲内の値において電力コマンドを送信するための手段と、
前記オフセット値に基づいて緩和信号を送信するための手段と、
前記ターゲット送信電力レベルにおいてアップリンク・チャネルを受信するための手段と、
を備える構成要素を実装するコンピュータ実行可能命令を記憶する少なくとも１つのコンピュータ可読記憶媒体と、を備え、
前記ユーザ機器が、前記緩和信号に従って前記電力コマンドからのその送信電力を調整する装置。
〔９〕
アップリンクのための送信電力レベルを正確に設定するために、調整されたパラメータをダウンリンク上でシグナリングするための装置であって、
電力コマンドの規定範囲からオフセット値だけ外にあるユーザ機器のために所望されるターゲット送信電力レベルを判断するためのコンピューティング・プラットフォームと、
前記ターゲット送信電力レベルに最も近い、前記規定範囲内の値において電力コマンドを送信し、前記オフセット値に基づいて緩和信号を送信するための送信機と、
前記ターゲット送信電力レベルにおいてアップリンク・チャネルを受信するための受信機と、を備え、
前記ユーザ機器が、前記緩和信号に従って前記電力コマンドからのその送信電力を調整する装置。
〔１０〕
前記ダウンリンクチャネルが共通パイロット・チャネルを備え、
前記コンピューティング・プラットフォームがさらに、前記規定範囲を下回る前記ターゲット送信電力レベルを判断するためのものであり、
前記送信機が、さらにターゲット送信電力レベルに従って一定値を設定することによって、前記オフセット値に基づいて前記緩和信号を送信するためのものであり、
前記受信機が、さらに実際の経路損失に従ってランダム・アクセス・チャネル・プリアンブルを受信するためのものである、
〔９〕に記載の装置。
〔１１〕
前記送信機がさらに、ハンドオーバ境界が実際の経路損失に基づくことを保証するために、セル個別オフセットの値を設定することによって、前記オフセット値に基づいて前記緩和信号を送信するためのものである〔１０〕に記載の装置。
〔１２〕
前記コンピューティング・プラットフォームがさらに、アップリンク干渉を緩和するために、前記アップリンク・チャネルの受信感度を前記規定範囲外にある実際の感度レベルに低減させるためのものであり、
前記送信機がさらに、前記ユーザ機器に、そのランダム・アクセス・チャネル・プリアンブルを実際の感度レベルに対応する送信電力レベルにおいて送信させるために、前記オフセット値に基づいて前記緩和信号を送信するためのものである〔９〕に記載の装置。
〔１３〕
前記送信機がさらに、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）通信規格に従って前記電力コマンド及び緩和信号を送信するためのものである〔９〕に記載の装置。
〔１４〕
前記コンピューティング・プラットフォームがさらに、前記ユーザ機器を限定加入者システムの一部として認証するためのものである〔９〕に記載の装置。
〔１５〕
有効範囲外の共通パイロット・チャネル電力を生じる実際の送信電力を判断する行為と、
共通パイロット・チャネル電力の値をダウンリンク上で最低有効値において送信する行為と、
前記実際の送信電力に従って一定値を送信する行為と、
共通パイロット・チャネル電力の前記値と前記一定値とに基づく実際の経路損失に従って、ユーザ機器からランダム・アクセス・チャネル・プリアンブルを受信する行為と
を実施する、コンピュータ可読記憶媒体上に記憶されたコンピュータ実行可能命令を実行するプロセッサを採用すること、
を備える方法。
〔１６〕
前記実際の経路損失に基づいてハンドオーバ境界を設定するために、セル個別オフセットの値を送信することをさらに備える〔１５〕に記載の方法。
〔１７〕
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）通信規格に従ってシグナリングすることをさらに備える〔１５〕に記載の方法。
〔１８〕
前記ユーザ機器を限定加入者システムの一部として認証することをさらに備える〔１５〕に記載の方法。
〔１９〕
少なくとも１つのプロセッサによって実行されたとき、
有効範囲外の共通パイロット・チャネル電力を生じる実際の送信電力を判断するためのコードの第１のセットと、
共通パイロット・チャネル電力の値をダウンリンク上で最低有効値において送信するためのコードの第２のセットと、
前記実際の送信電力に従って一定値を送信するためのコードの第３のセットと、
共通パイロット・チャネル電力の前記値と前記一定値とに基づく実際の経路損失に従って、ユーザ機器からランダム・アクセス・チャネル・プリアンブルを受信するためのコードの第４のセットと、
を備える構成要素を実装するコンピュータ実行可能命令を記憶する少なくとも１つのコンピュータ可読記憶媒体を備える、コンピュータ・プログラム製品。
〔２０〕
少なくとも１つのプロセッサと、
前記少なくとも１つのプロセッサによって実行されたとき、
有効範囲外の共通パイロット・チャネル電力を生じる実際の送信電力を判断するための手段と、
共通パイロット・チャネル電力の値をダウンリンク上で最低有効値において送信するための手段と、
前記実際の送信電力に従って一定値を送信するための手段と、
共通パイロット・チャネル電力の前記値と前記一定値とに基づく実際の経路損失に従って、ユーザ機器からランダム・アクセス・チャネル・プリアンブルを受信するための手段と、
を備える構成要素を実装するコンピュータ実行可能命令を記憶する少なくとも１つのコンピュータ可読記憶媒体とを備える装置。
〔２１〕
有効範囲外の共通パイロット・チャネル電力を生じる実際の送信電力を判断するためのコンピューティング・プラットフォームと、
共通パイロット・チャネル電力の値をダウンリンク上で最低有効値において送信し、前記実際の送信電力に従って一定値を送信するための送信機と、
共通パイロット・チャネル電力の前記値と前記一定値とに基づく実際の経路損失に従って、ユーザ機器からランダム・アクセス・チャネル・プリアンブルを受信するための受信機と、
を備える装置。
〔２２〕
前記送信機がさらに、前記実際の経路損失に基づいてハンドオーバ境界を設定するために、セル個別オフセットの値を送信するためのものである〔２１〕に記載の装置。
〔２３〕
前記送信機がさらに、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）通信規格に従って送信するためのものである〔２１〕に記載の装置。
〔２４〕
前記コンピューティング・プラットフォームがさらに、前記ユーザ機器を限定加入者システムの一部として認証するためのものである〔２１〕に記載の装置。
〔２５〕
アップリンク受信を実際の感度に低減することによって、干渉を緩和する行為と、
ユーザ機器に、ランダム・アクセス・チャネル・プリアンブルを前記実際の感度に対応する値において送信させるために、パラメータを調整する行為と、
前記パラメータを前記ユーザ機器に送信する行為と、
前記ランダム・アクセス・チャネル・プリアンブルを受信する行為と
を実施する、コンピュータ可読記憶媒体上に記憶されたコンピュータ実行可能命令を実行するプロセッサを採用すること、
を備える方法。
〔２６〕
アップリンク干渉の前記パラメータを調整することをさらに備える〔２５〕に記載の方法。
〔２７〕
一定値の前記パラメータを調整することをさらに備える〔２５〕に記載の方法。
〔２８〕
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）通信規格に従って前記パラメータを送信することをさらに備える〔２５〕に記載の方法。
〔２９〕
少なくとも１つのプロセッサによって実行されたとき、
アップリンク受信を実際の感度に低減することによって、干渉を緩和するためのコードの第１のセットと、
ユーザ機器に、ランダム・アクセス・チャネル・プリアンブルを前記実際の感度に対応する値において送信させるために、パラメータを調整するためのコードの第２のセットと、
前記パラメータを前記ユーザ機器に送信するためのコードの第３のセットと、
前記ランダム・アクセス・チャネル・プリアンブルを受信するためのコードの第４のセットと、
を備える構成要素を実装するコンピュータ実行可能命令を記憶する少なくとも１つのコンピュータ可読記憶媒体を備える、コンピュータ・プログラム製品。
〔３０〕
少なくとも１つのプロセッサと、
前記少なくとも１つのプロセッサによって実行されたとき、
アップリンク受信を実際の感度に低減することによって干渉を緩和するための手段と、
ユーザ機器に、ランダム・アクセス・チャネル・プリアンブルを前記実際の感度に対応する値において送信させるために、パラメータを調整するための手段と、
前記パラメータを前記ユーザ機器に送信するための手段と、
前記ランダム・アクセス・チャネル・プリアンブルを受信するための手段と
を備える構成要素を実装するコンピュータ実行可能命令を記憶する少なくとも１つのコンピュータ可読記憶媒体と、
を備える装置。
〔３１〕
アップリンク受信を実際の感度に低減することによって、干渉を緩和するため、及びユーザ機器に、ランダム・アクセス・チャネル・プリアンブルを前記実際の感度に対応する値において送信させるために、パラメータを調整するためのコンピューティング・プラットフォームと、
前記パラメータを前記ユーザ機器に送信するための送信機と、
前記ランダム・アクセス・チャネル・プリアンブルを受信するための受信機と、
を備える装置。
〔３２〕
前記コンピューティング・プラットフォームがさらに、アップリンク干渉の前記パラメータを調整するためのものである〔３１〕に記載の装置。
〔３３〕
前記コンピューティング・プラットフォームがさらに、一定値の前記パラメータを調整するためのものである〔３１〕に記載の装置。
〔３４〕
前記送信機がさらに、第３世代パートナーシップ・プロジェクト（３ＧＰＰ）通信規格に従って前記パラメータを送信するためのものである〔３１〕に記載の装置。
【図１】
0005562957.tif 000025
【図２】
0005562957.tif 000026
【図３】
0005562957.tif 000027
【図４】
0005562957.tif 000028
【図５】
0005562957.tif 000029
【図６】
0005562957.tif 000030
【図７】
0005562957.tif 000031
【図８】
0005562957.tif 000032
【図９】
0005562957.tif 000033
【図１０】
0005562957.tif 000034
【図１１】
0005562957.tif 000035
【図１２】
0005562957.tif 000036
【図１３】
0005562957.tif 000037
【図１４】
0005562957.tif 000038